(57)【要約】【課題】容易な構造で部品点数を増さないでコネクタ装置の勘合に対してダブルロックを行うこと。【解決手段】コネクタプラグ１０１とコネクタソケット２０１とが正常に嵌合して、ロック用フック部１１３とロック用突起２１１とが正常に引っかかり一次ロックがされている状態で、ヒンジ部１２１ａ、１２１ｂが閉じた状態（面１０１ａに対向して、一次ロック機構部１１１と二次ロック機構部１２０ａ、１２０ｂとが一様な面を形成している状態）から、二次ロック機構部１２０ａ、１２０ｂそれぞれを、操作矢印ＡＲａ、ＡＲｂで示す方向にヒンジ部１２１ａ、１２１ｂが開いた状態、すなわち二次ロック機構部１２０ａが面１０１ａに近接する方向に（概ね９０度の回転角度で）変位させて二次ロックをすることができる。【選択図】  図５
2010212202.tif 000002
【特許請求の範囲】
【請求項１】
相互に勘合する二つのコネクタそれぞれに一体に形成されると共に、前記二つのコネクタが正規に嵌合している状態をロックする第１のロック部と、
前記二つのコネクタのうち一方に一体に形成されると共に、前記第１のロック部によるロックを解除する操作に応じた前記嵌合している状態における自身の位置からの所定量の変位を伴う操作部と、
前記二つのコネクタのうち一方に一体に形成されると共に、前記第１のロック部によってロックされている状態で、自身が所定位置に変位して前記操作部変位を阻止する第２のロック部と、
を具備することを特徴とするコネクタ装置。
【請求項２】
前記第２のロック部は、前記操作部とヒンジ部によって結合されることを特徴とする請求項１記載のコネクタ装置。
【請求項３】
前記第２のロック部および前記操作部および前記ヒンジ部は、同一素材によって一体に形成されることを特徴とする請求項２載のコネクタ装置。
【請求項４】
前記第２のロック部は、前記操作部が変位する空間に対して自身が変位して前記操作部の変位を阻止すると共に、前記操作部が形成された一方のコネクタとは異なる他方のコネクタに一体に形成されることを特徴とする請求項１記載のコネクタ装置。
【請求項５】
前記第２のロック部は、前記他方のコネクタとヒンジ部によって結合されることを特徴とする請求項４記載のコネクタ装置。
【請求項６】
前記第２のロック部および前記他方のコネクタおよび前記ヒンジ部は、同一素材によって一体に形成されることを特徴とする請求項５記載のコネクタ装置。
【発明の詳細な説明】
【技術分野】
【０００１】
本発明は、電子回路を接続するコネクタ装置に関し、特にプラグとソケットとが勘合したときにロックする構造を具備するコネクタ装置に関する。
【背景技術】
【０００２】
近年、電子回路間を接続するコネクタ装置においては、プラグとソケットとが勘合したときに容易に勘合状態が解除されないようにロックする構造を２重（ダブルロック構造）にして、さらに強固な構造としたものが多く提案されている。
【０００３】
例えば、特許文献１によれば、２つのコネクタを正規位置まで勘合させたときに、各コネクタのロック部同士が自動的に互いに係合してロックされ、さらにダブルロック部材を所定位置まで押し込まれるとロック解除レバーがロックされるダブルロック構造を備えたコネクタ装置の手法が公開されている。
【先行技術文献】
【特許文献】
【０００４】
【特許文献１】特開２００８−２７７０３５号公報（図３  段落００７４−００７６）
【発明の概要】
【発明が解決しようとする課題】
【０００５】
ところが特許文献１では、ダブルロックのために、コネクタ装置としてのプラグ（コネクタ）とソケット（レセプタクルコネクタ）との内部に複雑な構造を設け、さらにプラグとソケットとは別体のダブルロック部材を追加する必要があったので、ダブルロックのために複雑な構造でありまた部品点数が増えた構造となっていた。
【０００６】
そこで、本発明は上述した課題を解決するために、容易な構造で部品点数を増さないでコネクタ装置の勘合に対してダブルロックを行うことができるコネクタ装置を提供することを目的とする。
【課題を解決するための手段】
【０００７】
本発明は上述した課題を解決するため、相互に勘合する二つのコネクタそれぞれに一体に形成されると共に、前記二つのコネクタが正規に嵌合している状態をロックする第１のロック部と、前記二つのコネクタのうち一方に一体に形成されると共に、前記第１のロック部によるロックを解除する操作に応じた前記嵌合している状態における自身の位置からの所定量の変位を伴う操作部と、前記二つのコネクタのうち一方に一体に形成されると共に、前記第１のロック部によってロックされている状態で、自身が所定位置に変位して前記操作部変位を阻止する第２のロック部と、を具備することを特徴とするものである。
【発明の効果】
【０００８】
本発明によれば、容易な構造で部品点数を増さないでコネクタ装置の勘合に対してダブルロックを行うことができる。
【図面の簡単な説明】
【０００９】
【図１】第１の実施形態としてのコネクタプラグの一実施形態を示す斜視図。
【図２】第１の実施形態としてのコネクタソケットの一実施形態を示す斜視図。
【図３】第１の実施形態としてのコネクタプラグとコネクタソケットとが嵌合した状態の一実施形態を示す斜視図。
【図４】コネクタプラグとコネクタソケットとが嵌合した状態の一実施形態での、ロック機構部のほぼ中央部における断面図。
【図５】第１の実施形態としてのコネクタプラグとコネクタソケットとが嵌合して二次ロックされた状態の一実施形態を示す斜視図。
【図６】二次ロックをさらに強固にした状態の一実施形態を示す斜視図。
【図７】第２の実施形態としてのコネクタプラグの一実施形態を示す斜視図。
【図８】第２の実施形態としてのコネクタプラグとコネクタソケットとが嵌合して二次ロックされた状態の一実施形態を示す斜視図。
【図９】第３の実施形態としてのコネクタプラグの一実施形態を示す斜視図。
【図１０】第３の実施形態としてのコネクタプラグとコネクタソケットとが嵌合して二次ロックされた状態の一実施形態を示す斜視図。
【図１１】第４の実施形態としてのコネクタプラグの一実施形態を示す斜視図。
【図１２】第４の実施形態としてのコネクタソケットの一実施形態を示す斜視図。
【図１３】第４の実施形態としてのコネクタプラグとコネクタソケットとが嵌合して二次ロックされた状態の一実施形態を示す斜視図。
【発明を実施するための形態】
【００１０】
以下、本発明における実施形態について図面を用いて説明する。
（第１の実施形態）
［コネクタプラグ］
まず初めに、本発明における第１の実施形態として、コネクタ装置の一部品であるコネクタプラグの一実施形態について、図１を用いて説明する。
図１は、第１の実施形態としてのコネクタプラグの一実施形態を示す斜視図である。
コネクタプラグ１０１には、図示しない雌側コンタクト部を先端に取り付けられた電線Ｗを装着するための電線収容部１０２が１つ以上設けられている。図１に示す斜視図においては、５本の電線Ｗを装着可能に５つの電線収容部１０２が一列に並んで設けられる形態であるが、電線収容部１０２は５本に限られるものではなく、また二列以上に並んで設けられてもよい。
【００１１】
さらにコネクタプラグ１０１には、面１０１ａ上に設けられた可撓な支持部１１２を介して一次ロック機構部１１１が設けられている。なお面１０１ａは、前述した１つ以上の電線収容部１０２が設けられる面に対して一辺の角を介して接する４つの面のうち、面積が広く並行関係にある２つの面のうちの一方の面である。
【００１２】
また一次ロック機構部１１１には、支持部１１２が設けられた面と同じ面にロック用フック部１１３が設けられている。なお支持部１１２およびロック用フック部１１３は、一次ロック機構部１１１の面１０１ａと対向する面側に設けられるものである。
【００１３】
さらに一次ロック機構部１１１の支持部１１２およびロック用フック部１１３が設けられた側とは反対面側には一次ロック解除操作部１１４となる領域があり、この一次ロック解除操作部１１４が力点、支持部１１２が支点、ロック用フック部１１３が作用点となる梃子が形成される。
【００１４】
すなわち、一次ロック解除操作部１１４に対して一次ロック機構部１１１が面１０１ａに接近する方向に力が加えられると、一次ロック機構部１１１自身の形状はほぼ保持したまま支持部１１２が撓み、ロック用フック部１１３が面１０１ａと離れる方向に移動する変位が生じる。この変形は一時ロックを解除するための変位である。
【００１５】
またさらに一次ロック機構部１１１の一次ロック解除操作部１１４となる領域近傍には、二つのヒンジ部１２１ａ、１２１ｂそれぞれを介して二つの二次ロック機構部１２０ａ、１２０ｂが設けられている。なおヒンジ部１２１ａ、１２１ｂは、一次ロック機構部１１１の面１０１ａに対向する面側であって、一次ロック機構部１１１と支持部１１２との接合部を軸にしてロック用フック部１１３が設けられている領域と線対称となる領域の、電線Ｗが装着される方向と平行した２つの角上に設けられる。
【００１６】
また、一次ロック機構部１１１および二次ロック機構部１２０ａ、１２０ｂ、ヒンジ部１２１ａ、１２１ｂは同一素材で一体に形成することが可能であり、ヒンジ部１２１ａ、１２１ｂの厚みまたは、ヒンジ部１２１ａ、１２１ｂと一次ロック機構部１１１または二次ロック機構部１２０ａ、１２０ｂとの連結部の厚みを薄く形成することで、ヒンジ部１２１ａ、１２１ｂを軸として１２０ａ，１２０ｂは可動する。
【００１７】
すなわち２つの二次ロック機構部１２０ａ、１２０ｂは、一次ロック機構部１１１の面１０１ａに対向する側に対して設けられたヒンジ部１２１ａ、１２１ｂを軸にして、面１０１ａの方向に開閉的に変位させることができる。
【００１８】
［コネクタソケット］
次に、本発明における第１の実施形態として、コネクタ装置の一部品であるコネクタソケットの一実施形態について、図２を用いて説明する。
図２は、第１の実施形態としてのコネクタソケットの一実施形態を示す斜視図である。
コネクタソケット２０１には、コネクタプラグ１０１の電線収容部１０２に装着された図示しない雌側コンタンクト部に挿入されるピンＰが１つ以上設けられている。なおピンＰは電線収容部１０２の配置に対応して設けられるものである。
【００１９】
また、コネクタプラグ１０１が挿入されるためのプラグ挿入部２０２に対して、コネクタプラグ１０１が所定位置まで挿入されて嵌合したときに、コネクタプラグ１０１に設けられたロック用フック部１１３がロックのために引っかかる部位であるロック用突起２１１が設けられている。
【００２０】
［コネクタプラグとコネクタソケットの嵌合状態］
次に本発明における第１の実施形態として、コネクタプラグとコネクタソケットとが嵌合した状態の一実施形態について、図３を用いて説明する。
図３は、第１の実施形態としてのコネクタプラグとコネクタソケットとが嵌合した状態の一実施形態を示す斜視図である。
コネクタプラグ１０１がコネクタソケット２０１のプラグ挿入部２０２に所定位置まで挿入されて嵌合している状態では、コネクタプラグ１０１のロック用フック部１１３とロック用突起２１１とが引っかかることで相互にロックされコネクタプラグ１０１が抜去されにくくなる。なお第１の実施形態では、フックと突起が双方共に凸形状の構造となっているが、例えば一方に切り欠きを設けて、この設けられた切り欠きにもう一方の爪形状が引っかかる構造としてもよい。
【００２１】
またさらに図４に示す、ロック機構部のほぼ中央部における断面図を用いて説明する。
図４は、コネクタプラグとコネクタソケットとが嵌合した状態の一実施形態での、ロック機構部のほぼ中央部における断面図である。
図４（ａ）に示すように、正常に嵌合している状態では、ロック用フック部１１３がロック用突起２１１に正常に引っかかるが、一方図４（ｂ）に示すように、挿入量が足りず正常に嵌合していない状態では、ロック用フック部１１３がロック用突起２１１に正常に引っかからない。
【００２２】
［コネクタプラグとコネクタソケットの二次ロック状態］
次に本発明における第１の実施形態として、コネクタプラグとコネクタソケットとが嵌合して二次ロックされた状態の一実施形態について、図５を用いて説明する。
図５は、第１の実施形態としてのコネクタプラグとコネクタソケットとが嵌合して二次ロックされた状態の一実施形態を示す斜視図である。
図３および図４（ａ）に示すように、コネクタプラグ１０１とコネクタソケット２０１とが正常に嵌合している状態、すなわちロック用フック部１１３とロック用突起２１１とが正常に引っかかっている状態では、二次ロック機構部１２０ａ、１２０ｂは、ヒンジ部１２１ａ、１２１ｂを軸にして、面１０１ａの方向に開閉的に変位させることができる。
【００２３】
つまりヒンジ部１２１ａ、１２１ｂが閉じた状態、すなわち図３に示すようにコネクタプラグ１０１の面１０１ａに対向して、一次ロック機構部１１１と二次ロック機構部１２０ａ、１２０ｂとが一様な面を形成している状態から、図５に示すように二次ロック機構部１２０ａ、１２０ｂそれぞれを、操作矢印ＡＲａ、ＡＲｂで示す方向にヒンジ部１２１ａ、１２１ｂが開いた状態、すなわち二次ロック機構部１２０ａが面１０１ａに近接する方向に（概ね９０度〜１８０度の回転角度で）変位させることができる。
【００２４】
また、二次ロック機構部１２０ａの一方向の長さであるヒンジ部１２１ａと直行する方向の長さＬａが、図４（ａ）に示す一次ロック機構部１１１と面１０１ａとの距離Ｇの長さ以上であった場合には、二次ロック機構部１２０ａの一部が面１０１ａに接触し、さらに二次ロック機構部１２０ｂにおいても同様に、この一部が面１０１ａに接触した状態において、一次ロック解除操作部１１４に対して面１０１ａ側に接近する方向に力が加えられても、ロック用フック部１１３がロック用突起２１１から離れる方向に変位できない状態、すなわち一次ロックを解除することができない二次ロック状態となる。
【００２５】
なお、二次ロック機構部１２０ａ、１２０ｂを図３に示す状態に戻すことで、一次ロック解除操作部１１４が可動できるようになり、ロック用フック部１１３がロック用突起２１１から離れる方向に変位させて一次ロック状態を解除することができる。
【００２６】
またさらには、二次ロック機構部１２０ａ、１２０ｂによる二次ロックをさらに強固にした状態の一実施形態について、図６を用いて説明する。
図６は、二次ロックをさらに強固にした状態の一実施形態を示す斜視図である。
すなわち、二次ロック機構部１２０ｂが面１０１ａに近接する方向に変位されて二次ロックされた状態において、面１０１ａ上に突起部１３０ｂが設けられていた場合には、二次ロック機構部１２０ｂを図３に示す状態に戻りづらくなり二次ロックをさらに強固にすることができる。なお二次ロック機構部１２０ａに対しても図示しない突起部１３０ａを設けることにより同様の効果が得られる。
【００２７】
以上説明したように本第１の実施形態によれば、一次ロック機構部の力点近傍に容易な構造で設けられた二次ロック機構部により、一次ロック機構の解除を阻止することができるので、容易な構造で部品点数を増さないでコネクタ装置の勘合に対して二次ロック（ダブルロック）を行うことができる。
【００２８】
（第２の実施形態）
［コネクタプラグ］
次に、本発明における第２の実施形態として、コネクタ装置の一部品であるコネクタプラグの一実施形態について、図７を用いて説明する。
図７は、第２の実施形態としてのコネクタプラグの一実施形態を示す斜視図である。
本第２の実施形態としてのコネクタプラグ１０１は、第１の実施形態におけるコネクタプラグ１０１と同様に、面１０１ａ上に設けられた可撓な支持部１１２を介して、ロック用フック部１１３および一次ロック解除操作部１１４となる領域を備えた一次ロック機構部１１１が設けられている。また一次ロック解除操作部１１４となる領域近傍には、一つのヒンジ部７２１を介して一つの二次ロック機構部７２０が設けられている。
【００２９】
そして本第２の実施形態においてヒンジ部７２１は、一次ロック機構部１１１の面１０１ａに対向する面側であって、一次ロック機構部１１１と支持部１１２との接合部を軸にしてロック用フック部１１３が設けられている領域と線対称となる領域の、電線収容部１０２が並ぶ方向と並行した一つの角に設けられる。
【００３０】
また、一次ロック機構部１１１および二次ロック機構部７２０、ヒンジ部７２１は同一素材で一体に形成することが可能であり、これらの部位を所定条件で形成することで、ヒンジ部７２１を軸として二次ロック機構部７２０は可動する。
【００３１】
すなわち二次ロック機構部７２０は、一次ロック機構部１１１の面１０１ａに対向する側に対して設けられたヒンジ部７２１を軸にして、面１０１ａの方向に開閉的に変位させることができる。
【００３２】
［コネクタプラグとコネクタソケットの二次ロック状態］
次に本発明における第２の実施形態として、コネクタプラグとコネクタソケットとが嵌合して二次ロックされた状態の一実施形態について、図８を用いて説明する。
図８は、第２の実施形態としてのコネクタプラグとコネクタソケットとが嵌合して二次ロックされた状態の一実施形態を示す斜視図である。
つまり本第２の実施形態においては、ヒンジ部７２１が閉じた状態、すなわち図７に示すようにコネクタプラグ１０１の面１０１ａに対向して、一次ロック機構部１１１と二次ロック機構部７２０とが一様な面を形成している状態から、図８に示すように二次ロック機構部７２０を、操作矢印ＡＲｃで示す方向にヒンジ部７２１が開いた状態、すなわち二次ロック機構部７２０が面１０１ａに近接する方向に（概ね９０度〜１８０度の回転角度で）変位させることができる。
【００３３】
またこの状態において第1の実施形態と同様に、二次ロック機構部７２０の一部の長さが、図４（ａ）に示す一次ロック機構部１１１と面１０１ａとの距離Ｇとの長さ以上であった場合には、一次ロックを解除することができない二次ロック状態となる。なお二次ロックの解除の手段に関しても第１の実施形態と同様である。またさらに図６に示す突起部１３０ｂに相当する突起部を面１０１ａ上に設けることにより二次ロックをさらに強固にすることができる。
【００３４】
以上説明したように本第２の実施形態によっても、一次ロック機構部の力点近傍に容易な構造で設けられた二次ロック機構部により、一次ロック機構の解除を阻止することができる。
【００３５】
（第３の実施形態）
［コネクタプラグ］
次に、本発明における第３の実施形態として、コネクタ装置の一部品であるコネクタプラグの一実施形態について、図９を用いて説明する。
図９は、第３の実施形態としてのコネクタプラグの一実施形態を示す斜視図である。
本第３の実施形態としてのコネクタプラグ１０１は、第１、第２の実施形態におけるコネクタプラグ１０１と同様に、面１０１ａ上に設けられた可撓な支持部１１２を介して、ロック用フック部１１３および一次ロック解除操作部１１４となる領域を備えた一次ロック機構部１１１が設けられている。また面１０１ａには、二つのヒンジ部９２１ａ、９２１ｂそれぞれを介して二つの二次ロック機構部９２０ａ、９２０ｂが設けられている。
【００３６】
そして本第３の実施形態においてヒンジ部９２１ａ、９２１ｂは、一次ロック機構部１１１の一次ロック解除操作部１１４となる領域の反対面側に対向する面１０１ａ上の領域であって、一次ロック機構部１１１の面１０１ａ側の電線Ｗが装着される方向と平行した二つの角を面１０１ａに対して投射した領域近傍に設けられる。
【００３７】
また、面１０１ａおよび二次ロック機構部９２０ａ、９２０ｂ、ヒンジ部９２１ａ、９２１ｂは同一素材で一体に形成することが可能であり、これらの部位を所定条件で形成することで、ヒンジ部９２１ａ、９２１ｂを軸として二次ロック機構部９２０ａ、９２０ｂは可動する。
【００３８】
すなわち二つの二次ロック機構部９２０ａ、９２０ｂそれぞれは、面１０１ａの所定領域に設けられたヒンジ部９２１ａ、９２１ｂそれぞれを軸にして、一次ロック機構部１１１の方向に開閉的に変位させることができる。
【００３９】
［コネクタプラグとコネクタソケットの二次ロック状態］
次に本発明における第３の実施形態として、コネクタプラグとコネクタソケットとが嵌合して二次ロックされた状態の一実施形態について、図１０を用いて説明する。
【００４０】
図１０は、第３の実施形態としてのコネクタプラグとコネクタソケットとが嵌合して二次ロックされた状態の一実施形態を示す斜視図である。
つまり本第３の実施形態においては、ヒンジ部９２１ａ、９２１ｂそれぞれが開いた状態、すなわち図９に示すように、二次ロック機構部９２０ａ、９２０ｂそれぞれがヒンジ部９２１ａ、９２１ｂよりも面１０１ａ上の外側の領域に近接している状態から、図１０に示すように二次ロック機構部９２０ａ、９２０ｂそれぞれを、操作矢印ＡＲｄ、ＡＲｅで示す方向にヒンジ部９２１ａ、９２１ｂが閉じた状態、すなわち二次ロック機構部９２０ａ、９２０ｂがヒンジ部９２１ａ、９２１ｂよりも面１０１ａ上の内側の領域に近接する方向に（概ね９０度の回転角度で）変位させることができる。
【００４１】
またこの状態において第１の実施形態と同様に、二次ロック機構部９２０ａ、９２０ｂそれぞれの一部の長さが、図４（ａ）に示す一次ロック機構部１１１と面１０１ａとの距離Ｇとの長さ以上であった場合には、一次ロックを解除することができない二次ロック状態となる。なお二次ロックの解除の手段に関しても第１の実施形態と同様である。またさらに図６に示す突起部１３０ｂに相当する突起部を一次ロック機構部１１１上に設けることにより二次ロックをさらに強固にすることができる。
【００４２】
なおヒンジ部９２１ａ、９２１ｂは、一次ロック機構部１１１を面１０１ａに対して投射した領域内に設けられることが好ましい。
以上説明したように本第３の実施形態によっても、一次ロック機構部の力点近傍に容易な構造で設けられた二次ロック機構部により、一次ロック機構の解除を阻止することができる。
【００４３】
（第４の実施形態）
［コネクタプラグ］
次に、本発明における第４の実施形態として、コネクタ装置の一部品であるコネクタプラグの一実施形態について、図１１を用いて説明する。
図１１は、第４の実施形態としてのコネクタプラグの一実施形態を示す斜視図である。
本第４の実施形態としてのコネクタプラグ１０１は、第１〜第３の実施形態におけるコネクタプラグ１０１とは若干異なり、コネクタプラグの面１０１ｃ上に設けられた可撓な支持部１１２ａを介して、ロック用フック部１１３ａおよび一次ロック解除操作部１１４ａとなる領域を備えた一次ロック機構部１１１ａが設けられている。また一次ロック解除操作部１１４ａとなる領域近傍には、ヒンジ部１１２１ａ、１１２１ｂを介して二つの二次ロック機構部１１２０ａ、１１２０ｂが設けられている。
【００４４】
またさらに面１０１ｃの反対面側である面１０１ｄ側でも同様に、この面上に設けられた可撓な支持部１１２ｂを介して、ロック用フック部１１３ｂおよび一次ロック解除操作部１１４ｂとなる領域を備えた一次ロック機構部１１１ｂが設けられている。また一次ロック解除操作部１１４ｂとなる領域近傍には、ヒンジ部１１２１ｃ、１１２１ｄそれぞれを介して二つの二次ロック機構部１１２０ｃ、１１２０ｄが設けられている。
【００４５】
なお面１０１ｃおよび面１０１ｄは、１つ以上の電線収容部１０２が設けられる面に対して一辺の角を介して接する４つの面のうち、面積が狭く並行関係にある２つの面である。
【００４６】
そして本第４の実施形態においてヒンジ部１１２１ａ、１１２１ｂそれぞれは、一次ロック機構部１１１ａの面１０１ｃに対向する面側であって、一次ロック機構部１１１ａと支持部１１２ａとの接合部を軸にしてロック用フック部１１３ａが設けられている領域と線対称となる領域の、電線Ｗが装着される方向と平行した２つの角上に設けられる。また同様にヒンジ部１１２１ｃ、１１２１ｄそれぞれは、一次ロック機構部１１１ｂの面１０１ｄに対向する面側であって、一次ロック機構部１１１ｂと支持部１１２ｂとの接合部を軸にしてロック用フック部１１３ｂが設けられている領域と線対称となる領域の、電線Ｗが装着される方向と平行した２つの角上に設けられる。
【００４７】
また、一次ロック機構部１１１ａ、および二次ロック機構部１１２０ａ、１１２０ｂ、ヒンジ部１１２１ａ、１１２１ｂは同一素材で一体に形成することが可能であり、これらの部位を所定条件で形成することで、ヒンジ部１１２１ａ、１１２１ｂを軸として二次ロック機構部１１２０ａ、１１２０ｂは可動する。
【００４８】
すなわち二次ロック機構部１１２０ａ、１１２０ｂそれぞれは、一次ロック機構部１１１ａの面１０１ｃに対向する面側に対して設けられたヒンジ部１１２１ａ、１１２１ｂそれぞれを軸にして、面１０１ｃの方向に開閉的に変位させることができる。
【００４９】
また同様に、一次ロック機構部１１１ｂ、および二次ロック機構部１１２０ｃ、１１２０ｄ、ヒンジ部１１２１ｃ、１１２１ｄは同一素材で一体に形成することが可能であり、これらの部位を所定条件で形成することで、ヒンジ部１１２１ｃ、１１２１ｄを軸として二次ロック機構部１１２０ｃ、１１２０ｄは可動する。
【００５０】
すなわち二次ロック機構部１１２０ｃ、１１２０ｄそれぞれは、一次ロック機構部１１１ｂの面１０１ｄに対向する面側に対して設けられたヒンジ部１１２１ｃ、１１２１ｄそれぞれを軸にして、面１０１ｄの方向に開閉的に変位させることができる。
【００５１】
［コネクタソケット］
次に、本発明における第４の実施形態として、コネクタ装置の一部品であるコネクタソケットの一実施形態について、図１２を用いて説明する。
図１２は、第４の実施形態としてのコネクタソケットの一実施形態を示す斜視図である。
図１２に示す本第４の実施形態におけるコネクタソケット２０１には、図１１に示す本第４の実施形態におけるコネクタプラグ１０１の電線収容部１０２に装着された図示しない雌側コンタンクト部に挿入されるピンＰが１つ以上設けられている。なおピンＰは電線収容部１０２の配置に対応して設けられるものである。
【００５２】
また、コネクタプラグ１０１が挿入されるためのプラグ挿入部２０２に対して、コネクタプラグ１０１が所定位置まで挿入されて嵌合したときに、コネクタプラグ１０１に設けられたロック用フック部１１３ａ、１１３ｂそれぞれとロックするためのロック用突起２１１ａ、２１１ｂが設けられている。
【００５３】
［コネクタプラグとコネクタソケットの二次ロック状態］
次に本発明における第４の実施形態として、コネクタプラグとコネクタソケットとが嵌合して二次ロックされた状態の一実施形態について、図１３を用いて説明する。
【００５４】
図１３は、第４の実施形態としてのコネクタプラグとコネクタソケットとが嵌合して二次ロックされた状態の一実施形態を示す斜視図である。
つまり本第４の実施形態においては、ヒンジ部１１２１ａ、１１２１ｂそれぞれが閉じた状態、すなわち図１１に示すようにコネクタプラグ１０１の面１０１ｃに対向して、一次ロック機構部１１１ａと二次ロック機構部１１２０ａ、１１２０ｂとが一様な面を形成している状態から、図１３に示すように二次ロック機構部１１２０ａ、１１２０ｂそれぞれを、操作矢印ＡＲｆ、ＡＲｇで示す方向にヒンジ部１１２１ａ、１１２１ｂそれぞれが開いた状態、すなわち二次ロック機構部１１２０ａ、１１２０ｂそれぞれが面１０１ｃに近接する方向に（概ね９０度〜１８０度の回転角度で）変位させることができる。
【００５５】
また同様に、ヒンジ部１１２１ｃ、１１２１ｄそれぞれが閉じた状態、すなわち図１１に示すようにコネクタプラグ１０１の面１０１ｄに対向して、一次ロック機構部１１１ｂと二次ロック機構部１１２０ｃ、１１２０ｄとが一様な面を形成している状態から、図１３に示すように二次ロック機構部１１２０ｃ、１１２０ｄそれぞれを、操作矢印ＡＲｈ、ＡＲｉで示す方向にヒンジ部１１２１ｃ、１１２１ｄそれぞれが開いた状態、すなわち二次ロック機構部１１２０ｃ、１１２０ｄそれぞれが面１０１ｄに近接する方向に（概ね９０度〜１８０度の回転角度で）変位させることができる。
【００５６】
またこの状態において同様に、二次ロック機構部１１２０ａ〜１１２０ｄそれぞれの一部の長さが、図４（ａ）に示す一次ロック機構部１１１と面１０１ａとの距離Ｇに相当する箇所の長さ以上であった場合には、一次ロックを解除することができない二次ロック状態となる。なお二次ロックの解除に関しても第１の実施形態と同様である。またさらに図６に示す突起部１３０ｂに相当する突起部を面１０１ｃ、１０１ｄ上に設けることにより二次ロックをさらに強固にすることができる。
【００５７】
以上説明したように本第４の実施形態によっても、一次ロック機構部の力点近傍に容易な構造で設けられた二次ロック機構部により、一次ロック機構の解除を阻止することができる。
【００５８】
すなわち以上説明したように第１〜第４の実施形態によれば、一次ロック機構部の力点近傍に容易な構造で設けられた二次ロック機構部により、一次ロック機構の解除を阻止することができるので、容易な構造で部品点数を増さないでコネクタ装置の勘合に対して二次ロック（ダブルロック）を行うことができる。
【００５９】
また本発明は、上述した実施形態に限定されるものではなく、本発明の要旨を変えない範囲において、種々の変更、改変等が可能である。
【符号の説明】
【００６０】
１０１…コネクタプラグ、１０１ａ…面、Ｗ…電線、１０２…電線収容部、１１１…一次ロック機構部、１１２…支持部、１１３…ロック用フック部、１１４…一次ロック解除操作部、１２０ａ，１２０ｂ…二次ロック機構部、１２１ａ，１２１ｂ…ヒンジ部、２０１…コネクタソケット、２０２…プラグ挿入部、Ｐ…ピン、２１１…ロック用突起。
【図１】
2010212202.tif 000003
【図２】
2010212202.tif 000004
【図３】
2010212202.tif 000005
【図４】
2010212202.tif 000006
【図５】
2010212202.tif 000007
【図６】
2010212202.tif 000008
【図７】
2010212202.tif 000009
【図８】
2010212202.tif 000010
【図９】
2010212202.tif 000011
【図１０】
2010212202.tif 000012
【図１１】
2010212202.tif 000013
【図１２】
2010212202.tif 000014
【図１３】
2010212202.tif 000015